(57)【要約】本発明は、支持プレートと、該支持プレートに接続されるレジストレーション層とを具備する基板層を有するディスクに関する。保護プレートが、支持プレートから離れたレジストレーション層の側に置かれ、この保護プレートは、基板層に着脱可能に固定され得る。支持プレートは、ディスク形状であり、円周エッジから上方に延びる少なくとも一つの隆起したエッジを備えており、このエッジによって、保護プレートが着脱可能に固定されることができる。
2005532646.tif 000002
【特許請求の範囲】
【請求項１】
支持プレートと、該支持プレートに接続されるレジストレーション層とを具備する基板層を有するディスクであって、保護プレートが、前記支持プレートから離れた前記レジストレーション層の側に置かれ、前記保護プレートが、前記基板層に着脱可能に固定され得ることを特徴とするディスク。
【請求項２】
前記支持プレートは、ディスク形状をもち、円周エッジから上方に延びる少なくとも一つの隆起したエッジを備え、該エッジによって、前記保護プレートが着脱可能に固定され得ることを特徴とする、請求項１に記載のディスク。
【請求項３】
前記保護プレートが、前記基板層に磁気的に固定され得ることを特徴とする、請求項１又は２に記載のディスク。
【請求項４】
前記保護プレートが、はめ合い形状又は力による接続によって前記基板層に固定され得ることを特徴とする、請求項１乃至３の何れか１項に記載のディスク。
【請求項５】
前記基板層が、少なくとも前記保護プレートを有する保護素子に挿入され得ることを特徴とする、請求項１乃至４の何れか１項に記載のディスク。
【請求項６】
前記基板層の又は前記保護プレートの少なくとも外周エッジが、溝部を備えることを特徴とする、請求項１乃至５の何れか１項に記載のディスク。
【請求項７】
前記レジストレーション層が、前記支持プレートとは反対の側にカバー層を備えることを特徴とする、請求項１乃至６の何れか１項に記載のディスク。
【発明の詳細な説明】
【技術分野】
【０００１】
本発明は、支持プレートと、該支持プレートに接続されるレジストレーション層とを具備する基板層を有するディスクに関する。
【背景技術】
【０００２】
オランダ国特許出願公開第ＮＬ８３００４７６号明細書から知られるこのような光ディスクは、支持プレートと、該支持プレートに載っているレジストレーション層と、該レジストレーション層からある距離を隔てて置かれるカバー層とを具備している。この既知の光ディスクのカバー層は、レジストレーション担体と共に気密空間を供給し、それにより、レジストレーション担体が周囲の大気から保護される目的をもつ。
【発明の開示】
【発明が解決しようとする課題】
【０００３】
しかし、この既知の光ディスクでは、レジストレーション層が、例えば、衝撃の場合に生じる機械的負荷に対して十分に保護されていない。
本発明の目的は、レジストレーション層に対する損傷を防止するように、ディスクのレジストレーション層をより良好に保護する装置を提供することにある。
【課題を解決するための手段】
【０００４】
この目的は、保護プレートが、支持プレートから離れたレジストレーション層の側に置かれ、上記保護プレートが、基板層に着脱可能に固定され得ることを特徴とする、本発明によるディスクにおいて達成される。
【０００５】
着脱可能に固定され得る保護プレートの利点は、ディスクが書き込まれ又は読み取られる必要がない場合、レジストレーション層が、基板層に置かれる保護プレートにより保護されることである。レジストレーション層の読み取り又は書き込みを行う前に、レジストレーション層がアクセス可能になるように、着脱可能に固定された保護プレートは取り外されるべきである。
【０００６】
本発明によるディスクの一実施形態は、支持プレートが、ディスク形状をもち、円周エッジから上方に延びる少なくとも一つの隆起したエッジを備え、このエッジによって、保護プレートが着脱可能に固定され得ることを特徴とする。
【０００７】
このような実施形態の利点は、上記エッジが、ディスクの横側を外部影響から保護することである。更に、この隆起したエッジは、例えば、衝撃又は落下の場合、上記プレートに及ぼされる力を十分に吸収する。
【０００８】
本発明によるディスクの他の実施形態は、保護プレートが、基板層に磁気的に固定され得ることを特徴とする。
【０００９】
このような実施形態の利点は、基板層及び保護プレートが、少なくとも一つの磁石によって簡単なやり方で互いに固定されることである。更に、磁石が保護プレート及び基板層の双方に設けられてもよく、その場合、保護プレート又は基板層は平面ディスク形状をもち得る。
【００１０】
本発明によるディスクの更に他の実施形態は、保護プレートが、はめ合い（interlocking）形状又は力による接続によって基板層に固定され得ることを特徴とする。
【００１１】
このような実施形態の利点は、保護プレートが、比較的簡単なやり方で基板層に固定され得ることである。
【００１２】
本発明によるディスクの他の実施形態は、基板層が、少なくとも保護プレートを有する保護素子に挿入され得ることを特徴とする。
【００１３】
このような実施形態の利点は、基板層が保護素子の内側にある場合、この保護素子が、基板層全体を外部影響から保護することである。
【００１４】
本発明によるディスクの更に他の実施形態は、基板層の又は保護プレートの少なくとも外周エッジが、溝部を備えることを特徴とする。
【００１５】
このような実施形態の利点は、溝部がレール又は類似の素子をはめる場所としての機能を果たすことが可能であり、それによって、基板層又は保護プレートが把持（grip，グリップ）されることができ、そのため、基板層及び保護プレートが簡単なやり方で互いから離されることができることである。
【００１６】
本発明は、添付の図面を参照してより詳細に説明されるであろう。
【００１７】
対応する構成要素は、各図面において同じ参照符号を付与されている。
【発明を実施するための最良の形態】
【００１８】
図１は、本発明による光ディスク１の第１の実施形態の概略断面図である。光ディスク１は、基板層２と、該基板層に着脱可能に結合され得る保護プレート３とを有している。環状の基板層２は、支持プレート４と、該支持プレートに接続されるレジストレーション層５と、支持プレート４から離れたレジストレーション層５の側においてレジストレーション層５に接続されるカバー層６とを有している。支持プレート４は、外周エッジに隆起したエッジ（raised edge）７を備え、更に、支持プレート４の中心線の近傍に置かれる隆起したエッジ８を備えている。レジストレーション層５と、該レジストレーション層に設けられるカバー層６とが、支持プレート４の隆起したエッジ７と隆起したエッジ８との間に位置している。レジストレーション層５に接続されるカバー層６は、ディスク１が読み取られる又は書き込まれる媒体、例えば、レーザ（図示せず）がいかなるダスト粒子によっても妨害されないことを確実にする。カバー層６がなければ、ダスト粒子は、レジストレーション層５上にじかに存在するであろう。このことは、レジストレーション層５を不適切に読み取り可能／書き込み可能にするであろう。支持プレート４と比較すると薄いカバー層６は、読み取り媒体又は書き込み媒体に対してトランスペアレントな材料から製造される。支持プレート４は、例えば、金属又は合成樹脂のような固い材料から製造される。レジストレーション層５は、それ自体が知られている光学レジストレーション用の材料から製造される。中央にある隆起したエッジ８によって囲まれる磁石９は、支持プレート４の中央部に位置している。
【００１９】
基板層２に着脱可能に接続され得る保護プレート３は、支持プレート４から離れた側において基板層２と向かい合って位置決めされている。磁石１０は、保護プレート３の中央部に設けられている。
【００２０】
保護プレート３の機能は、以下に簡単に説明されるであろう。レジストレーション層５を保護するために、この保護プレートは、カバー層６の傍らから、すなわち、実線で示される位置から、保護プレート３’を示す点線で示される位置へ、ここでは、保護プレート３’が磁石９，１０によって支持プレート４に着脱可能に固定される位置へ動かされる。保護プレート３は、磁石９，１０によって基板層２に位置付けられ、保持される。
【００２１】
保護プレート３’は、支持プレート４の隆起したエッジ７及び８に当たっており、これらのエッジと一緒に光ディスク１に及ぼされる外力を吸収する。更に、支持プレート４の隆起したエッジ７は、レジストレーション層５の横方向の保護をもたらす。レジストレーション層５は、保護プレート３及び隆起したエッジ７によって、外的な物理的影響から効果的に保護される。
【００２２】
光ディスク１が、書き込まれる又は読み取られる場合、保護プレート３は、例えば、グリッパ装置等によって、基板層２から取り外されるべきである。
【００２３】
図２は、本発明による光ディスク１の第２の実施形態の概略断面図である。保護プレート３及び基板層２は、溝部１１が円周エッジに備えられ、そのため、例えば、溝部に嵌入されるべきレールのような外的手段が、保護プレート３と基板層２とを互いに隔てることができるという点において第１の実施形態と異なる。更に、この金属保護プレート３は、磁石を有していないけれども、支持プレート４に設けられた磁石９によって支持プレート４に対して引き寄せられる。
【００２４】
図３は、本発明による光ディスク１の第３の実施形態の側面斜視図である。この実施形態における光ディスク１は、スリーブタイプの保護素子１２及び基板層２を有している。この基板層２は、先行の図面の１つにおける基板層と同じ構造をもつ。スリーブタイプの保護素子１２は、保護プレート３及び磁石１０を有している。基板層２は、保護目的のためにスリーブタイプの保護素子１２に通されている。基板層２は、ほぼ完全に封入され、保護素子１２によって保護されている。
【００２５】
比較的頑丈な保護素子１２の利点は、保護素子１２が、基板層２をまるごと封入し、全方向から生じる外力を吸収するので、支持プレート４が固い材料から製造される必要はないということである。
【００２６】
光ディスク１は、基板層２の中心に開口部１３を備え、該開口部によって、基板層２が回転テーブル（図示せず）に位置付けされることができ、該回転テーブルにおいてレジストレーション層５が書き込まれ、読み取られることができる。
【００２７】
図４ａは、本発明による保護プレート１４の実施形態の概略平面図である。保護プレート１４は、金属リング１５と、該金属リング上にあるトランスペアレントなディスク形状部１６とを有している。このリング１５は、該リング１５を直径方向に横切って延在する第１のストリップ１７を有している。このリングは、更に、リング１５からリング１５の中心へ向かってストリップ１７を横切る方向に延在する第２のストリップ１８及び第３のストリップ１９を備えている。第２のストリップ１８及び第３のストリップ１９のそれぞれは、中央部の近傍に、第１のストリップ１７に向かって延在する２つの平行な弾性ブリッジ２１を備えており、これらのブリッジが、リング１５とは反対の方を向く側においてストリップ１８，１９の三日月形状の端部２２に接続されている。ストリップ１７、１８及び１９は、軟質磁性材料から製造される。
【００２８】
図４ｂは、基板層２の実施形態の概略断面図である。この基板層２は、図１及び図２に示される実施形態の基板層２と同じ構成要素を有している。ただし、図４ｂに示される実施形態が、中心線の近傍に置かれる隆起したエッジ２５を備え、この隆起したエッジの端部は、小さい角度をなして磁石に向かって下向きに傾斜している。支持プレート４は、この実施形態では軟質磁性材料から製造されている。
【００２９】
図４ａに示される保護プレート１４が、図４ｂに示される基板層２に位置付けられる場合、保護プレート１４の軟質磁性材料のストリップ１７は、磁石９によって基板層２に向かって引き付けられる。ストリップ１８及び１９の三日月形状の端部２２は、ブリッジ２１のばね力に逆らって、基板層２の内側に傾斜している隆起したエッジ２５に対して引き寄せられる。保護プレート１４は、丸い磁石９を囲む三日月形状の端部２２によって、基板２に対して正しい位置に置かれ、それによって、相互の変位が効果的に防止される。磁石９とストリップ１７の磁性材料との間に働く引力は、基板層２に押し当てて保護プレート１４を保持する。
【００３０】
本発明による光ディスクは硬貨の寸法をもつことが可能であり、約１ギガバイト（gigabyte）のデータ容量を有する。この容量に対する寸法の比によって、光ディスクが、例えば、モバイル電話のようなメモリ依存のアプリケーションを備える比較的小さな機器に用いるのに適切にされる。
【００３１】
しかし、代替方法として、例えば、閉鎖タグ等のような機械的手段が、図３に示される保護素子１２に基板層２を保持するために使われることも可能である。
【００３２】
更に、ディスクが開口部１３を備えないことも可能であるが、その代わりに、ディスクは該ディスクの外周エッジによって取り扱われ、位置付けられ得る。
【００３３】
あるいは、光ディスクの代わりに、光磁気ディスク、磁気ディスク又は同様のものを使用することも可能である。
【００３４】
例えば、磁気ディスクの場合、ディスク１がカバー層６を備えていないことも可能である。
【００３５】
更に、磁石９及び１０の代わりに、単一の磁石を使用することが可能であり、それにより固定されるべき部品が軟質磁性材料から製造されることも可能である。
【００３６】
保護素子１２に、それぞれが磁石１０を備える２つの保護プレート３を設けることも可能である。
【図面の簡単な説明】
【００３７】
【図１】本発明によるディスクの第１の実施形態の概略断面図である。
【図２】本発明によるディスクの第２の実施形態の概略断面図である。
【図３】本発明によるディスクの第３の実施形態の側面斜視図である。
【図４ａ】保護プレートの実施形態の概略平面図である。
【図４ｂ】図４ａの保護プレートが固定され得る基板層の実施形態の概略断面図である。
【図１】
2005532646.tif 000003
【図２】
2005532646.tif 000004
【図３】
2005532646.tif 000005
2005532646.tif 000006
【国際調査報告】
2005532646.tif 000007
2005532646.tif 000008